(57)【要約】      （修正有）【課題】生花と贈答物品を組み合わせた新たな感覚の鉢植えの植物の贈答パッケージを提供する。【解決手段】鉢植えの植物の贈答パッケージは、贈答物品２と、鉢植えの植物１と贈答物品とを収納する手提げケース３とを備え、贈答物品は、物品を略直方体のケースに収納したもの、または、贈答物品自体が略直方体形状をなしたものであり、手提げケースは、鉢植えの植物と贈答物品とを縦置きに並べて収納可能であり、手提げケースの側面の１面は贈答物品を外部から視認できる透明な窓部３ａを設けた。また、贈答物品は、鉢植えの植物と関連性を有するものである。【選択図】図１
0003228312.tif 000002
【実用新案登録請求の範囲】
【請求項１】
鉢植えの植物と、
贈答物品と、
上記鉢植えの植物と上記贈答物品とを収納する手提げケースと、
を備え、
上記贈答物品は、物品を略直方体のケースに収納したもの、または、上記贈答物品自体が略直方体形状をなしたものであり、
上記手提げケースは、上記鉢植えの植物と上記贈答物品とを縦置きに並べて収納可能であり、
上記手提げケースの側面の１面は上記贈答物品を外部から視認できる透明な窓部を設けた
ことを特徴とする鉢植えの植物の贈答パッケージ。
【請求項２】
上記贈答物品は、上記鉢植えの植物と関連性を有するものである
ことを特徴とする請求項１に記載の鉢植えの植物の贈答パッケージ。
【請求項３】
上記贈答物品は、上記鉢植えの植物と同種の花の造花またはドライフラワーである
ことを特徴とする請求項２に記載の鉢植えの植物の贈答パッケージ。
【請求項４】
上記贈答物品は、上記鉢植えの植物の花言葉と関連性を有する物である
ことを特徴とする請求項２に記載の鉢植えの植物の贈答パッケージ。
【考案の詳細な説明】
【技術分野】
【０００１】
この考案は鉢植えの植物と異種の贈答物品との贈答パッケージに関する考案である。
【背景技術】
【０００２】
例えば、箱状の外側構成部と、外側構成部の内側に設けられ鉢植えの植物を収納するための内側構成部とを有する包装箱で、包装箱の状態で鉢植えの植物を鑑賞可能にするとともに、包装箱から外側構成部を除いた状態で鉢植えの植物を鑑賞可能とすることができ、外側構成部を除いて鑑賞可能にする操作を容易に行なうことができる包装箱が提案されている（例えば、特許文献１）。
【０００３】
具体的には、包装箱Ｐは、内箱部Ａと外箱部Ｂとを有し、内箱部Ａには、鉢植えの植物を保持するための保持部１００が設けられ、外箱部Ｂは、保持部１００に保持された鉢植えの植物を鑑賞するための窓部Ｍが設けられている。外箱部Ｂの片部２２４、２３４を外側に回動させることにより、側面部２０において、分離部２４と本体部２２間の切目線が切断し、側面部３０において、分離部３４と本体部３２間の切目線が切断し、外箱部Ｂを取り外すことができる。
【先行技術文献】
【特許文献】
【０００４】
【特許文献１】特開２０１８―１８４１７８号公報
【考案の概要】
【考案が解決しようとする課題】
【０００５】
生花は代表的な贈答品である。咲く花の美しさや可憐さ、そして咲いている時間の短さゆえの切なさは、人を感動させ、心を揺さぶる。
しかし、昨今においては、贈答品の主流は生花から造花やドライフラワーに移りつつある。生活様式の変化や価値観の変化が原因の一つである。
例えば、合理性は、刹那的な美しさよりも、変わらない美しさを求める傾向にあり、美しさを失わない造花やドライフラワーが、生花よりも人気を有している。
贈り物を大事な人に長く親しんで欲しいという心情も一因である。
【０００６】
特許文献１に開示された包装体は、包装の外部から内部の鉢植えの植物を視認できるようにしたものであり、鉢植えの植物を鑑賞可能にする効果はあるものの、生花の購買意欲を十分に高めるものではない。
【０００７】
本考案は上記の課題を解決するためになされたものであり、現在人の価値観等も考慮し、生花に新たな付加価値を加えることができる鉢植えの植物の贈答パッケージを提供するものである。
【課題を解決するための手段】
【０００８】
本考案に係る鉢植えの植物の贈答パッケージは、贈答物品と、上記鉢植えの植物と上記贈答物品とを収納する手提げケースとを備え、上記贈答物品は、物品を略直方体のケースに収納したもの、または、上記贈答物品自体が略直方体形状をなしたものであり、上記手提げケースは、上記鉢植えの植物と上記贈答物品とを縦置きに並べて収納可能であり、上記手提げケースの側面の１面は上記贈答物品を外部から視認できる透明な窓部を設けたことを特徴とする。
【０００９】
また、上記贈答物品は、上記鉢植えの植物と関連性を有するものであることを特徴とする。
【考案の効果】
【００１０】
贈り物を贈る際に、異なる二つの物品を贈ることはまれであり、受け取る人も違和感を抱くであろう。しかし、二つの物品間に何らかの関連性あるいは統一性があれば、そういった違和感はなくなる。
本考案においては、そのひとつの物品は鉢植えの植物である。鉢植えの植物に他の贈答物品を加え、統一性があり、且つ新たな価値観を生み出す贈答パッケージを、本考案は提案するものである。
【００１１】
本考案においては、贈答物品は透明な窓部から見え、また、鉢植えの植物は窓部の上部にあるため、全体としてそれらを組み合わせたデザインが生まれる。生花と人工的な物品とが融合した新たなデザイン性を持つ贈答パッケージになる。
そして、組み合わせを変えることで、パッケージ全体として数多くの異なるデザインを生み出すことができる。
【００１２】
重要な点は、鉢植えの植物と贈答物品との組み合わせが違和感を与えないことである。そのためには、鉢植えの植物と贈答物品とが何らかの関連性を持つ必要がある。関連性には二つあり、概念的な関連性と視覚的な関連性である。
【００１３】
概念的な関連性とは、鉢植えの植物から浮かぶイメージと、贈答物品から浮かぶイメージとがある種の関連を持つことである。
例えば、贈答物品が鉢植えの植物の花言葉に一致している場合である。あるいは、鉢植えの植物のイメージ、例えば、観葉植物のグリーンのように清潔感を持つ花であれば、贈答物品が石鹸やであれば、イメージが一致する。また、鉢植えの植物がポインセチアであれば、クリスマス飾りを贈答物品とすれば、イメージの統一感が得られる。
【００１４】
視覚的な関連性とは、見た感じに統一性があることである。
本実施の考案においては、鉢植えの植物と贈答物品をパッケージ化し、窓部を設けることでデザインの統一性を図りやすい。例えば、色彩の雰囲気を似せることで、全体として一つのデザイン性を得やすい。
【００１５】
贈答物品を、鉢植えの植物と同一の植物の造花やドライフラワーにしても良い。この場合には、観念的にも視覚的にも、同一性（あるいは強い関連性）が得られる。鉢植えの植物が枯れた後も、造花やドライフラワーを飾ってもらうことで、贈り先の人に長く親しんでもらうことができる。
【００１６】
以上のように、本考案の贈答パッケージは、鉢植えの植物とその他の贈答物品を自然な形で贈ることができる。そして、その組み合わせの多様性により、数多くのデザインを生み出すことができる。また、鉢植えの植物という生花に新たな価値観を加えることが可能になり、多くの人々が生花を見直すきっかけにもなる。
さらに、二つの物品を比較的安価で贈答パッケージにすることができるし、店舗サイドからすれば、短時間で包装が行えるといったメリットもあり、ウイルス等の感染予防の観点からも望ましい。
【図面の簡単な説明】
【００１７】
【図１】本考案の鉢植えの植物の贈答パッケージの構成品を表す模式図である。
【図２】鉢植えの植物を手提げケースに入れた際の模式図である。
【図３】鉢植えの植物と贈答物品を手提げケースに入れた際の模式図である。
【図４】別の贈答物品の模式図である。
【図５】鉢植えの植物と別の贈答物品を手提げケースに入れた際の模式図である。
【考案を実施するための形態】
【００１８】
本考案の鉢植えの植物の贈答パッケージに関して、良好な実施の形態を以下に図を用いて説明する。
なお、本考案は以下に示す実施の形態に限定されるものではなく、同様の考案概念を広範に含むものである。
【００１９】
実施の形態
＜構成品＞
本考案の鉢植えの植物の贈答パッケージに関する実施の形態を図を用いて説明する。
まず、本考案の植物の贈答パッケージを構成する構成品を図１を用いて説明する。
本考案の植物の贈答パッケージは、鉢植えの植物１と、贈答物品２と、これら鉢植えの植物１と贈答物品２とを収納する手提げケース３から構成される。
【００２０】
そして、贈答物品２は、物品を略直方体のケースに収納したもの、または、贈答物品自体が略直方体形状をなしたものである。
手提げケース３は、鉢植えの植物１と贈答物品２とを縦置きに並べて収納可能であり、手提げケース３の側面の１面は贈答物品２を外部から視認できる透明な窓部３ａを設けている。
【００２１】
鉢植えの植物１は、草や花、あるいは両方が鉢植えされているものである。
【００２２】
贈答物品２は、例えば、石鹸や小型タオル等の贈答に適する物品が箱詰めされたものである。
鉢植えの植物１と同種の植物のドライフラワーや造花であっても良い。
あるいは、フレームアートやフォトフレームのように、それ自体が略直方体形状をなしたもので合っても良い。
【００２３】
手提げケース３は紙袋でも良いし、樹脂ケースでも良い。鉢植えの植物１や贈答物品２を入れて持ち歩いても大丈夫な強度を持つものであれば良い。
また、窓部３ａは、手提げケース３の側面の一面に設けられた開口でも良いし、その開口に透明な部材を張り付け等で取り付けたものでも良い。
【００２４】
＜構成方法＞
次に、図２および図３を用いて、本考案の構成方法について説明する。
まず、図２のように、鉢植えの植物１を手提げケース３に入れる。鉢植えの植物１は、窓部３ａとは反対側に置き、鉢植えの植物１側のスペースを空けておく。
【００２５】
次に、この空いたスペースに贈答物品２を入れることで、本考案の鉢植えの植物の贈答パッケージが完成する。
贈答物品２は窓部３ａから見え、また、鉢植えの植物１は窓部３ａの上部に見える。
この状態で、手提げケース３の紐を持って、持ち歩くことができる。
【００２６】
贈答物品２は、図４や図５に示すような物品が箱詰めされたものであっても良い。ここでは、石鹸が箱詰めされた例を示している。
【符号の説明】
【００２７】
１  鉢植えの植物
２  贈答物品
３  手提げケース
３ａ  窓部（透明部材）
【図１】
0003228312.tif 000003
【図２】
0003228312.tif 000004
【図３】
0003228312.tif 000005
【図４】
0003228312.tif 000006
【図５】
0003228312.tif 000007